(57)【要約】【課題】面倒な設定操作を必要とせずに、「壁紙」などの特定の機能を自分の好みのデータに簡単に設定可能とする。【解決手段】携帯電話１０からサービスサイト１３にアクセスして所望のテーマに応じたデータの保存先が記されたリストを取得する。そして、携帯電話１０側において、前記リストに記された保存先にアクセスしてデータを取得し、そのデータを該当する機能に動作可能な状態に設定する。これにより、面倒な設定操作を必要とせずに、自分の好みのデータに簡単に設定することが可能となる。【選択図】      図１
2005109670.tif 000002
【特許請求の範囲】
【請求項１】
特定の機能に利用されるデータの保存先が記された複数のリストを記憶した記憶手段と、
この記憶手段に記憶された各リストのうちの１つを選択する選択手段と、
この選択手段によって選択されたリストに記された保存先にアクセスしてデータを取得するデータ取得手段と、
このデータ取得手段によって得られたデータを該当する機能に動作可能な状態に設定するデータ設定手段と
を具備したことを特徴とする通信端末装置。
【請求項２】
複数の異なる特定の機能に利用される各データの保存先が記された複数のリストを記憶した記憶手段と、
この記憶手段に記憶された各リストのうちの１つを選択する選択手段と、
この選択手段によって選択されたリストに記された各保存先にアクセスして各機能のデータを取得するデータ取得手段と、
このデータ取得手段によって得られた各機能のデータをそれぞれに該当する機能に動作可能な状態に設定するデータ設定手段と
を具備したことを特徴とする通信端末装置。
【請求項３】
外部から所望のテーマに応じたデータの保存先が記されたリストを取得するリスト取得手段と、
このリスト取得手段によって得られたリストを前記記憶手段に登録するリスト登録手段と
を具備したことを特徴とする請求項１または２記載の通信端末装置。
【請求項４】
サーバと通信端末装置とがネットワークを介して接続してなる通信システムであって、
前記サーバは、
前記通信端末装置が持つ特定の機能に利用されるデータの保存先が記されたリストを記憶したデータベースと、
前記通信端末装置からの要求に応じて前記データベースから前記リストを読み出して提供する情報提供手段とを備え、
前記通信端末装置は、
前記サーバにアクセスして所望のテーマに応じたデータの保存先が記されたリストを取得するリスト取得手段と、
このリスト取得手段によって得られたリストを記憶する記憶手段と、
この記憶手段に記憶されたリストに記された保存先にアクセスしてデータを取得するデータ取得手段と、
このデータ取得手段によって得られたデータを該当する機能に動作可能な状態に設定するデータ設定手段とを備えたことを特徴とする通信システム。
【請求項５】
通信端末装置における、データ設定を要する少なくとも１つの特定の機能に対してデータを設定するためのデータ設定方法であって、
前記特定の機能に利用されるデータの保存先が記されたリストをネットワーク上のサーバから入手するステップと、
前記入手されたリストに記された保存先にネットワークを介してアクセスしてデータを取得するステップと、
前記保存先から取得したデータを該当する機能に動作可能な状態に設定するステップと
を備えたことを特徴とするデータ設定方法。
【請求項６】
通信端末装置における、データ設定を要する複数の異なる特定の機能に対してデータを設定するためのデータ設定方法であって、
前記複数の異なる特定の機能に利用されるデータ毎にそれぞれの保存先が記されたリストをネットワーク上のサーバから入手するステップと、
前記入手されたリストに記された各保存先にネットワークを介してアクセスして各機能のデータを取得するステップと、
前記各保存先から取得した各機能のデータをそれぞれに該当する機能に動作可能な状態に設定するステップと
を備えたことを特徴とするデータ設定方法。
【請求項７】
データ設定を要する少なくとも１つの特定の機能を備えたコンピュータに用いられる自動設定用のプログラムであって、
前記コンピュータに、
前記特定の機能に利用されるデータの保存先が記された複数のリストのうちの１つを選択する機能と、
前記選択されたリストに記された保存先にアクセスしてデータを取得する機能と、
前記保存先から取得したデータを該当する機能に動作可能な状態に設定する機能と
を実現させるためのプログラム。
【請求項８】
データ設定を要する複数の異なる特定の機能を備えたコンピュータに用いられる自動設定用のプログラムであって、
前記コンピュータに、
複数の異なる特定の機能に利用されるデータ毎にそれぞれの保存先が記された複数のリストのうちの１つを選択する機能と、
前記選択されたリストに記された各保存先にアクセスして各機能のデータを取得する機能と、
前記各保存先から取得した各機能のデータをそれぞれに該当する機能に動作可能な状態に設定する機能と
を実現させるためのプログラム。
【発明の詳細な説明】
【技術分野】
【０００１】
本発明は、携帯電話などの通信端末装置に係り、特に「着信メロディ」や「壁紙」、「待受け画面」などの特定の機能に利用されるデータを設定する場合に用いて好適な通信端末装置と、この通信端末装置を用いた通信システム、データ設定方法及びプログラムに関する。
【背景技術】
【０００２】
近年の携帯電話には、基本機能である通話機能の他に、例えば「着信メロディ」、「壁紙」、「待受け画面」といった様々な機能が備えられている。これらの機能に利用されるデータ（音楽データや画像データ）は、端末本体内に予めプリセットされているものの他に、サーバから任意にダウロードすることもできる（特許文献１〜３参照）。
【０００３】
例えば、特許文献１では、サーバの記憶手段に予め格納されている映像作品の音声データを携帯電話にダウンロードすることにより、この音声データを着信メロディとして利用することが開示されている。
【０００４】
また、特許文献２では、サーバのデータベースに電話番号（顧客ＩＤ）と使用機種とを対応付けて登録しておき、携帯電話からサーバにアクセスがあったときに、その携帯電話の電話番号から機種を判別し、その機種に適合した着信メロディをデータベースから検索して配信することが開示されている。
【０００５】
また、特許文献３では、携帯電話の待受け画面や壁紙に利用される画像データがサーバに用意されており、これらを携帯電話からアクセスすことでダウンロードすることが開示されている。
【特許文献１】特開２００２−３２５２４１号公報
【特許文献２】特開２００２−０５５６８５号公報
【特許文献３】特開２００３−０８７４７８号公報
【発明の開示】
【発明が解決しようとする課題】
【０００６】
上述したように、従来、「着信メロディ」、「壁紙」、「待受け画面」などの各種機能データをサーバから任意にダウンロードすることはできた。しかしながら、これらのデータを実際に携帯電話で利用するために、ユーザ自身が端末本体内の該当する機能に設定する操作が必要となる。
【０００７】
すなわち、例えば、「着信メロディ」であれば、携帯電話に設けられている設定メニューの中から「着信音」の設定機能を選択し、そこにサーバからダウンロードしたデータを動作可能な状態に設定する必要がある。「壁紙」や「待受け画面」などに関しても同様であり、それぞれに個別にダウンロードしたデータを所定の手順で動作可能な状態に設定しなければならない。
【０００８】
このように、各機能毎に面倒なデータ設定の操作が必要であるため、その設定操作に不慣れなユーザには難しく、自分の好みのデータに設定するまでに時間がかかってしまうなどの問題があった。
【０００９】
本発明は前記のような点に鑑みなされたもので、面倒な設定操作を必要とせずに、「壁紙」などの特定の機能を自分の好みのデータに簡単に設定することのできる通信端末装置、通信システム、データ設定方法及びプログラムを提供することを目的とする。
【課題を解決するための手段】
【００１０】
本発明の通信端末装置は、特定の機能に利用されるデータの保存先が記された複数のリストを記憶した記憶手段と、この記憶手段に記憶された各リストのうちの１つを選択する選択手段と、この選択手段によって選択されたリストに記された保存先にアクセスしてデータを取得するデータ取得手段と、このデータ取得手段によって得られたデータを該当する機能に動作可能な状態に設定するデータ設定手段とを具備して構成される。
【００１１】
このような構成によれば、特定の機能に利用されるデータの保存先が記された複数のリストの中から自分の好みのテーマに合ったリストを選択するだけで、その選択されたリストに記された保存先からデータを得て、そのデータを該当する機能に動作可能な状態に設定することができる。したがって、面倒な設定操作を必要とせずに、自分の好みのデータに簡単に設定することが可能となる。
【００１２】
また、本発明の通信端末装置は、複数の異なる特定の機能に利用される各データの保存先が記された複数のリストを記憶した記憶手段と、この記憶手段に記憶された各リストのうちの１つを選択する選択手段と、この選択手段によって選択されたリストに記された各保存先にアクセスして各機能のデータを取得するデータ取得手段と、このデータ取得手段によって得られた各機能のデータをそれぞれに該当する機能に動作可能な状態に設定するデータ設定手段とを具備して構成される。
【００１３】
このような構成によれば、複数の異なる特定の機能に利用される各データの保存先が記された複数のリストの中から自分の好みのテーマに合ったリストを選択するだけで、その選択されたリストに記された各保存先から各機能のデータを得て、これらのデータを該当する機能に動作可能な状態に同時設定することができる。したがって、各機能毎にデータの設定操作をしなくとも、自分の好みに合わせたデータを各機能に対して簡単に設定することが可能となる。
【００１４】
また、本発明の通信端末装置は、さらに、外部から所望のテーマに応じたデータの保存先が記されたリストを取得するリスト取得手段と、このリスト取得手段によって得られたリストを前記記憶手段に登録するリスト登録手段とを具備したことを特徴とする。
【００１５】
このような構成によれば、外部から所望のテーマに応じたデータの保存先が記されたリストを得て記憶手段に登録することにより、その登録されたリストを用いてデータ設定を行うことができる。
【００１６】
また、本発明の通信システムは、サーバと通信端末装置とがネットワークを介して接続してなる通信システムであって、前記サーバは、前記通信端末装置が持つ特定の機能に利用されるデータの保存先が記されたリストを記憶したデータベースと、前記通信端末装置からの要求に応じて前記リストを提供する情報提供手段とを備え、前記通信端末装置は、前記サーバにアクセスして所望のテーマに応じたデータの保存先が記されたリストを取得するリスト取得手段と、このリスト取得手段によって得られたリストを記憶する記憶手段と、この記憶手段に記憶されたリストに記された保存先にアクセスしてデータを取得するデータ取得手段と、このデータ取得手段によって得られたデータを該当する機能に動作可能な状態に設定するデータ設定手段とを備えたことを特徴とするものである。
【００１７】
このような構成によれば、通信端末装置からサーバにアクセスすることにより、サーバから所望のテーマに応じたデータの保存先が記されたリストが提供される。通信端末装置側では、そのリストに記された保存先にアクセスことによりデータを取得して、そのデータを該当する機能に動作可能な状態に設定する。
【発明の効果】
【００１８】
本発明によれば、特定の機能に利用されるデータの保存先が記された複数のリストの中から自分の好みのテーマに合ったリストを選択するだけの簡単な操作で、「壁紙」などの特定の機能を自分の好みのデータに簡単に設定することができる。
【００１９】
また、サーバから自分の好みのテーマに合ったリストを取得して追加登録しておけば、いつでも、好きなときに当該リストを用いて各機能のデータ設定内容を簡単に変更することもできる。
【発明を実施するための最良の形態】
【００２０】
以下、図面を参照して本発明の実施形態を説明する。
【００２１】
図１は本発明の一実施形態に係る通信システムの構成を示す図であり、通信端末装置として携帯電話を例にした場合のシステム構成が示されている。図中の１０はユーザが持つ携帯電話、１１は携帯電話の基地局である。
【００２２】
携帯電話１０は、基本機能である通話機能の他に、電子メール機能、Ｗｅｂ閲覧機能、個人管理機能（ＰＩＭ機能）などを備える。さらに、電話やメールの着信時に利用される「着信メロディ（呼出しメロディ）」機能、「メール着信メロディ」機能や、待ち受け時などに利用される「壁紙」機能、「待受け画面」機能などを備える。
【００２３】
基地局１１は、無線送受信局として各地に点在しており、所定の無線サービスエリア内で携帯電話１０と無線接続する。携帯電話１０は、この基地局１１を介してインターネットを含む通信ネットワーク１２に接続する。この通信ネットワーク１２上に本システムに用いられるサービスサイト１３が存在する。
【００２４】
サービスサイト１３は、ある特定のテーマに関係した情報を提供しているサーバである。このサービスサイト１３では、例えば「着信メロディ」や「壁紙」といった携帯電話１０側の各機能で利用可能な各種のデータと、これらのデータの保存先を示すＵＲＬ（Uniform Resource Locators）が記された自動設定リストをデータベース１４に保持している。
【００２５】
なお、図１の例では、１つのサービスサイト１３しか図示されていないが、実際には多数のサービスサイトが存在し、これらのサイトに携帯電話１０から通信ネットワーク１２を介して任意にアクセスして情報の提供を受けることができる。
【００２６】
次に、携帯電話１０の構成について説明する。
【００２７】
図２は同実施形態における携帯電話１０の構成を示すブロック図である。この携帯電話１０には、アンテナ２１、無線部２２、音声変換回路２３、スピーカ２４、マイク２５などを含む無線通信ユニットが備えられている。
【００２８】
アンテナ２１は、基地局１１との間で無線電波を送受信する。無線部２２は、所定の通信プロトコルに従った無線通信処理を行う。音声変換回路２３は、通話時における音声データの変調／復調処理などを行う。スピーカ２４は受話器として通話相手の音声データを出力し、マイク２５は送話器としてユーザの音声データを入力する。
【００２９】
また、携帯電話１０には、この端末機器全体の制御を担う制御部２６が備えられていると共に、キー入力部２７、鳴音部２８、液晶表示部２９、ＲＯＭ３０、ＲＡＭ３１などが備えられている。
【００３０】
制御部２６は、マイクロプロセッサ（ＣＰＵ）からなり、ＲＯＭ３０などに記憶されているプログラムを読み込むことにより、そのプログラムに記述された手順に従って各種処理を実行する。
【００３１】
キー入力部２７は、この携帯電話１０を操作するための操作部として用いられるものであり、例えば電源をＯＮ／ＯＦＦするための「電源」キー、着信／発信時に操作される「着信／発信」キー、電話番号や文字などの入力を行うための「ダイヤル」キー、各種機能を選択するための「ファンクション」キーなどの各種操作キーを有する。
【００３２】
鳴音部２８は、電話やメールの着信時に予め設定された着信音を鳴らしてユーザに通知する。このときの着信音データとして、前記サービスサイト１３からダウンロードした「着信メロディ（呼出しメロディ）」や「メール着信メロディ」のデータを任意選択的に設定することができる。
【００３３】
液晶表示部２９は、カラー表示可能なＬＣＤ（Liquid Crystal Display）からなり、入力操作時のデータや受信データ、各機能のメニュー画面などを含む各種データを動作環境に応じて表示する。また、この液晶表示部２９に表示する画像データとして、前記サービスサイト１３からダウンロードした「壁紙」や「待受け画面」のデータを任意選択的に設定することができる。
【００３４】
ＲＯＭ３０には、図３に示すように、ブラウザ機能、通話制御機能、ＰＩＭ管理機能などを実現するための各種アプリケーションプログラムが記憶されていると共に、サービスサイト１３からダウンロードしたデータを該当する機能に自動設定するための自動設定プログラムが記憶されている。
【００３５】
ＲＡＭ３１は、制御部２６の処理動作に必要な各種データを記憶するためのワークメモリである。このＲＡＭ３１には、図４に示すように、「壁紙」、「着信メロディ（呼出しメロディ）」、「メール着信メロディ」などの各機能に利用される各種データが記憶されると共に、後述する自動設定リスト（図７参照）が記憶される。
【００３６】
次に、同実施形態における動作を説明する。
【００３７】
ここでは、ユーザの持つ携帯電話１０の処理動作として、（ａ）自動設定リストの取り込み処理、（ｂ）自動設定処理に分けて説明する。なお、以下の各フローチャートで示される処理は、基本的には携帯電話１０に備えられた制御部２６（ＣＰＵ）によって実行される。制御部２６は、ＲＯＭ３０などに記憶されたプログラムを読み込むことにより、本発明に関わる一連の処理を実行する。
【００３８】
（ａ）自動設定リストの取り込み処理
図５は同実施形態における携帯電話１０の自動設定リストの取り込み処理の動作を示すフローチャートである。基地局１１の無線サービスエリア内において、まず、携帯電話１０から通信ネットワーク１２を介してサービスサイト１３にアクセスすると（ステップＡ１１）、そのサービスサイト１３で提供している着信メロディ等に関する情報が送られて来て、携帯電話１０の液晶表示部２９に表示される（ステップＡ１２）。
【００３９】
図６にそのときの表示例を示す。この例では、サービスサイト１３が「○○タイガース応援サイト」であり、その「○○タイガース」関係の「壁紙」や「着メロ」などのデータを提供している。なお、「○○タイガース」は固有名詞であるので、一部「○○」の記号を用いてマスクして表記するものとする。その他の固有名詞についても同様である。また、「着メロ」とは「着信メロディ」の略であり、着信を知らせるメロディーのことを示す。
【００４０】
このサービスサイト１３に携帯電話１０からアクセスすると、まず、図６（ａ）に示すように、当該サイト（「○○タイガース応援サイト」）で提供している「壁紙」等のデータを取得するためのガイド画面が携帯電話１０に表示される。
【００４１】
ここで、前記ガイド画面上で指定された箇所をキー入力部２７の操作によりクリックすると、ダウンロードデータの選択がなされる（ステップＡ１３）。その際、携帯電話１０側では、そのダウンロード対象となるデータが端末本体内に保存できるか否かを判断する（ステップＡ１４）。その結果、例えばデータ容量の関係などにより端末本体内に保存できない場合であれば（ステップＡ１４のＮｏ）、例えば「このデータは容量が大きいため、ダウンロードできません」といったようなメッセージを表示するなどして（ステップＡ１５）、ここでの処理を終える。
【００４２】
一方、端末本体内に保存可能であれば（ステップＡ１４のＹｅｓ）、サービスサイト１３から自動設定リストをダウンロードして（ステップＡ１６）、そのダウロードした自動設定リストを図４に示すＲＡＭ３１の所定領域に保存する（ステップＡ１７）。なお、このときに既携帯電話１０側でに別のテーマの自動設定リストが既に登録済みであれば、そこに今回取得した自動設定リストが追加登録されることになる。
【００４３】
自動設定リストのダウンロード中には、図６（ｂ）に示すような画面が携帯電話１０に表示される。また、ダウンロードが完了すると、図６（ｃ）に示すような画面が携帯電話１０に表示され、自動設定リスト（この例では「タイガース設定リスト」）を端末本体内のデータフォルダへ保存した旨が通知される。
【００４４】
図７は同実施形態における自動設定リストのデータ構成の一例を示す図であり、設定対象となるデータ、登録名、データの保存先を示すＵＲＬがＸＭＬ（Extensible markup language）形式で記述した例が示されている。
【００４５】
ここでは、「タイガース設定リスト」として、「○○おろし」、「○野メールだぞ」、「○ラッキー」の３種類のデータに関するリストが示されている。これらのデータは、同じテーマ（ある野球チーム）に関するものであるが、それぞれに設定対象機能は異なり、「○○おろし」は「着信メロディ（呼出しメロディ）」機能に用いられる音楽データ、「○野メールだぞ」は「メール着信メロディ」機能に用いられる音楽データ、「○ラッキー」は「待受け画面」機能に用いられる画像データである。
【００４６】
（ｂ）自動設定処理
次に、本実施形態における自動設定処理について説明する。
【００４７】
図８は同実施形態における携帯電話１０の自動設定処理の動作を示すフローチャートである。今、この携帯電話１０に少なくとも１つの自動設定リストが登録されているものとする。この自動設定リストは、予め本体内（ＲＡＭ３１）にプリセットされていても良いし、前記（ａ）の自動設定リストの取り込み処理により外部（サービスサイト１３）から取得したものであっても良い。
【００４８】
携帯電話１０のキー入力部２７の操作により自動設定機能を指定すると、まず、現在登録されている自動設定リストの一覧が携帯電話１０の液晶表示部２９に表示され（ステップＢ１０）、その中で選択された自動設定リストがＲＡＭ３１から読み出される（ステップＢ１１）。
【００４９】
図９にそのときの表示例を示す。この例では、漫画の「○○えもん」、スポーツの「○○タイガース」、芸能の「○○ニング娘」の３種類の自動設定リストが登録されている場合が示されている。このうち、「○○えもん」と「○○ニング娘」の自動設定リストは既に登録されていたものであり、そこに前記（ａ）の自動設定リストの取り込み処理により「○○タイガース」の自動設定リストが追加登録されたものとする。これらの自動設定リストが携帯電話１０に現在登録されているリストとして、そのリスト名の一覧画面が図９（ａ）に示すような形式で携帯電話１０の液晶表示部２９に一覧表示される。
【００５０】
ここで、ユーザが「○○タイガース」の自動設定リストが選択したとする。このリスト選択に伴い、図９（ｂ）に示すように自動設定実行中のメッセージが表示され、その間に以下のような処理が実行されている。
【００５１】
すなわち、まず、選択された自動設定リスト（「○○タイガース」）で指定されている各機能（「○○おろし」／「○野メールだぞ」／「○ラッキー」）が順にチェックされ、その中でデータ設定されていない機能があれば（ステップＢ１２のＹｅｓ）、その機能が自動設定リストから読み込まれた後（ステップＢ１３）、当該機能が携帯電話１０で設定可能な機能であるか否かがチェックされる（ステップＢ１４）。
【００５２】
携帯電話１０で設定できない機能であった場合、つまり、携帯電話１０でサポートしていない機能であった場合には（ステップＢ１４のＮｏ）、データ設定できないので、ステップＢ１２に戻って次のデータの設定処理に移る。
【００５３】
具体的に説明すると、例えば「着信メロディ」機能には、「１６和音」や「３２和音」といったような再生機能が必要となる。ここで、携帯電話１０が「１６和音」の再生機能しか対応していない場合に、「３２和音」の再生機能となるデータが与えられた場合には、当該機能にデータ設定ができないものとして処理する。同様に、「待受け画面」機能などのような画像データを利用する機能に関しても、携帯電話１０が「静止画像」の機能しか対応していない場合に、「動画像」の再生機能となるデータが与えられた場合には、当該機能にデータ設定ができないものとして処理する。なお、データ設定できないときに、その理由をメッセージ表示するようにしても良い。
【００５４】
また、携帯電話１０で設定可能な機能であった場合には（ステップＢ１４のＮｏ）、その機能に対応したデータが端末本体内（ＲＡＭ３１の所定領域）に存在しているか否かがチェックされる（ステップＢ１５）。この場合、自動設定リストの中に予めデータも含まれていれば、本体内に存在するものとして判断されて（ステップＢ１５のＹｅｓ）、その自動設定リストから当該データが読み出みされて、該当する機能に動作可能な状態に自動設定される（ステップＢ１６）。
【００５５】
すなわち、例えば「○○タイガース」リストに「着信メロディ」用に「○○おろし」の音楽データが含まれていれば、その音楽データがリストから読み出され、携帯電話１０の「着信メロディ」機能に動作可能な状態に設定されることになる。
【００５６】
一方、自動設定リストの中にデータが含まれていなかった場合、あるいは、ユーザがデータを削除してしまった場合など、本体内に存在していないものと判断された場合には（ステップＢ１５のＮｏ）、当該データの保存先を示すＵＲＬが自動設定リストから抽出され、そのＵＲＬの指定場所に接続が行われる（ステップＢ１８）。
【００５７】
前記ＵＲＬの指定場所に接続されると、そこから当該データが読み出され、携帯電話１０にダウンロードされる（ステップＢ１９）。このダウロードしたデータは、携帯電話１０の該当する機能に動作可能な状態に自動設定される（ステップＢ１５→Ｂ１６）。
【００５８】
すなわち、例えば「○○タイガース」リストの「○ラッキー」の画像データが本体内に存在していなかった場合には、図７のリスト例にあるように、
「http://www.tigers.com/wallpaper/**raki.jpg」
といったＵＲＬが抽出されて、ＨＴＴＰ（HyperText Transfer Protocol）通信による所定の接続処理が実行される。そして、そのＵＲＬの指定場所から携帯電話１０へ「○ラッキー」の画像データがダウロードされる。このダウロードされた「○ラッキー」の画像データは、ＲＡＭ３１の所定の領域に保持された後、携帯電話１０の「壁紙」機能に対して動作可能な状態に設定される。
【００５９】
以後同様にして、自動設定リストにて指定されている各機能に対してデータ設定が順に繰り返される。そして、全ての機能に対するデータ設定が終了すると（ステップＢ１２のＮｏ）、図９（ｃ）に示すような設定完了メッセージが液晶表示部２９に表示されて（ステップＢ１７）、ここでの処理が終了する。
【００６０】
このように、「着信メロディ」や「壁紙」、「待受け画面」などの各機能に利用されるデータを設定する場合に、ユーザがこれらの機能に対して個別にデータ設定の操作を行うことなく、自動設定リストを選択するだけの操作で、その自動設定リストを用いて所望のデータを該当する機能に簡単に設定できる。
【００６１】
この場合、自動設定リストには１種類のデータだけでなく、同じテーマに関係する複数種類のデータを機能別に設定しておけば、図１０（ａ）〜（ｃ）に示すように、「着信メロディ」を「○○おろし」、「待受け画面」を「○ラッキー」、「メール着信メロディ」を「○野メールだぞ」といったように、ある特定のテーマ（この例では野球チーム）に合わせたデータを各機能に対して同時設定することができる。したがって、各機能毎にデータ設定の操作をしなくとも、各機能を自分の好みに合ったデータに簡単に合わせて個性的な使い方ができるようになる。
【００６２】
なお、前記実施形態では、自動設定リストを図７に示したようなＸＭＬフォーマットで記述したが、単純なテキスト形式でもよく、また、その他のデータフォーマットで記述するようにしても良い。
【００６３】
また、自動設定できる機能は、「着信メロディ」（音声着信／メール受信）、「壁紙」（メイン画面／サブ画面）、「待受け画面」（メイン画面／サブ画面）などの他に、例えばメニュー表示の画像や配色、文字サイズ、さらに、起動時に動作するアプリケーション、カメラ画像のフレーム、カメラアイコンなどであっても良い。
【００６４】
また、自動設定リストは、外部（サーバ）から提供する方法の他に、例えば電子メールに添付したり、メモリカードなどの記録媒体を介して提供したり、通信ケーブルを介して提供するなどの方法を用いることもできる。
【００６５】
また、本発明の通信端末装置として携帯電話を例にして説明したが、例えばＰＤＡ（Personal Digital Assistant）やパーソナルコンピュータなどの他の情報処理機器であっても良い。
【００６６】
要するに、本発明は前記実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。例えば、実施形態で示される全構成要件から幾つかの構成要件が削除されても、「発明が解決しようとする課題」で述べた効果が解決でき、「発明の効果」の欄で述べられている効果が得られる場合には、この構成要件が削除された構成が発明として抽出され得る。
【００６７】
また、上述した実施形態において記載した手法は、コンピュータに実行させることのできるプログラムとして、例えば磁気ディスク（フロッピーディスク、ハードディスク等）、光ディスク（ＣＤ−ＲＯＭ、ＤＶＤ等）、半導体メモリなどの記録媒体に書き込んで各種装置に適用したり、通信媒体により伝送して各種装置に適用することも可能である。本装置を実現するコンピュータは、記録媒体に記録されたプログラムを読み込み、このプログラムによって動作が制御されることにより、上述した処理を実行する。
【図面の簡単な説明】
【００６８】
【図１】本発明の一実施形態に係る通信システムの構成を示す図であり、通信端末装置として携帯電話を例にした場合のシステム構成を示す図。
【図２】同実施形態における携帯電話の構成を示すブロック図。
【図３】同実施形態における携帯電話に設けられたＲＯＭのデータ内容の一例を示す図。
【図４】同実施形態における携帯電話に設けられたＲＡＭのデータ内容の一例を示す図。
【図５】同実施形態における携帯電話の自動設定リストの取り込み処理の動作を説明するためのフローチャート。
【図６】同実施形態における携帯電話の自動設定リストの取り込み時の表示画面の一例を示す図。
【図７】同実施形態における自動設定リストのデータ構成の一例を示す図。
【図８】同実施形態における携帯電話の自動設定処理の動作を説明するためのフローチャート。
【図９】同実施形態における携帯電話の自動設定処理時の表示画面の一例を示す図。
【図１０】同実施形態における携帯電話の自動設定後の各機能に対応した表示画面の一例を示す図。
【符号の説明】
【００６９】
１０…携帯電話、１１…基地局、１２…通信ネットワーク、１３…サービスサイト、１４…データベース（ＤＢ）、２１…アンテナ、２２…無線部、２３…音声変換回路、２４…スピーカ、２５…マイク、２６…制御部、２７…キー入力部、２８…鳴音部、２９…液晶表示部、３０…ＲＯＭ、３１…ＲＡＭ。
【図１】
2005109670.tif 000003
【図２】
2005109670.tif 000004
【図３】
2005109670.tif 000005
【図４】
2005109670.tif 000006
【図５】
2005109670.tif 000007
【図６】
2005109670.tif 000008
【図７】
2005109670.tif 000009
【図８】
2005109670.tif 000010
【図９】
2005109670.tif 000011
【図１０】
2005109670.tif 000012